(57)【特許請求の範囲】
【請求項１】
電線に装着された防護管が所定位置に固定されるように、前記防護管の端部における前記電線に着脱可能に取り付けられる保持具であって、
前記電線と対向する面に第１斜面を有し、前記電線を挟持する挟持部と、
前記挟持部に挟持された前記電線が軸方向のうち第１方向に移動しないように、前記第１斜面と前記電線との間の隙間に挿入されるくさび部材と、
前記挟持部から延在し、前記挟持部が前記電線を挟持した状態において、前記防護管の先端を前記電線に向かって押圧するアームと、
を備えたことを特徴とする保持具。
【請求項２】
前記挟持部は、前記電線の軸方向に沿って前記第１斜面とともに形成される第２斜面を更に有し、
前記くさび部材は、前記電線が前記第１方向とは反対の第２方向に移動しないように、前記第２斜面と前記電線との間の隙間に挿入される
ことを特徴とする請求項１に記載の保持具。
【請求項３】
前記第１斜面と前記第２斜面とは、前記電線の軸方向に沿って互いに反対側を向くとともに離間して配置される
ことを特徴とする請求項２に記載の保持具。
【請求項４】
前記第１斜面と前記第２斜面とは、前記挟持部における前記電線の軸方向の両端部にそれぞれ設けられる
ことを特徴とする請求項３に記載の保持具。
【請求項５】
前記第１斜面と前記第２斜面とは、前記電線の前記軸方向に沿って互いに向き合うように配置される
ことを特徴とする請求項２に記載の保持具。
【請求項６】
前記第１斜面と前記第２斜面とは連続する
ことを特徴とする請求項５に記載の保持具。
【請求項７】
前記くさび部材は、前記電線の前記軸方向に沿って互いに向かい合う１対の斜面と、前記１対の斜面同士を繋ぐ平板状の接続部を有し、
前記第１及び第２斜面は前記くさび部材の前記１対の斜面に対向し、
前記挟持部は、前記接続部に対向する連結部を更に有する
ことを特徴とする請求項２に記載の保持具。
【発明の詳細な説明】
【技術分野】
【０００１】
本発明は、電線に装着される防護管等を所定の位置に固定する保持具に関する。
【背景技術】
【０００２】
架空電線付近で作業が行われる場合、作業用設備の接触によって電線が損傷したり、作業者が電線に接触して感電したりすることを防止するため、電線に防護管が装着される。かかる防護管が電線に対して移動するのを防止するべく、防護管の端部を係止するとともに電線を挟持する電線防護管の係止具が知られている（特許文献１を参照）。
【先行技術文献】
【特許文献】
【０００３】
【特許文献１】特開２０００−２１７２３４号公報
【発明の概要】
【発明が解決しようとする課題】
【０００４】
このような係止具は、防護管の移動を防止するべく、電線を挟持具で挟み込んだうえで挟持具を締め付けている。つまり、締付け力を用いて防護管の移動防止を図っている。しかし、締付け力が不足すると、係止具が電線に対して移動する。また、緩み等に伴う締付け力の減少によって、係止具が移動することがある。このようにして係止具が移動すると、防護管が移動し、その結果、防護されるべき箇所が露出されたり、建築作業の安全性の低下や樹木接触箇所が発生したりするなど、不適切な状態が生ずる。また、防護管の落下の原因に繋がりかねない。
【０００５】
そこで、本発明は、防護管等を電線における所定の箇所に確実に固定することを目的とする。
【課題を解決するための手段】
【０００６】
前述した課題を解決する主たる本発明は、電線に装着された防護管が所定位置に固定されるように、前記防護管の端部における前記電線に着脱可能に取り付けられる保持具であって、前記電線と対向する面に第１斜面を有し、前記電線を挟持する挟持部と、前記挟持部に挟持された前記電線が軸方向のうち第１方向に移動しないように、前記第１斜面と前記電線との間の隙間に挿入されるくさび部材と、前記挟持部から延在し、前記挟持部が前記電線を挟持した状態において、前記防護管の先端を前記電線に向かって押圧するアームと、を備える。
【０００７】
本発明の他の特徴については、添付図面及び本明細書の記載により明らかとなる。
【発明の効果】
【０００８】
本発明によれば、防護管等を電線における所定の箇所に確実に固定することができる。
【図面の簡単な説明】
【０００９】
【図１】本発明の第１実施形態における保持具を概略的に示す斜視図である。
【図２】図１に示される保持具の端面図である。
【図３】本発明の第２実施形態における保持具を概略的に示す斜視図である。
【図４】図３に示される保持具の端面図である。
【図５】本発明の第３実施形態における保持具の端面図である。
【発明を実施するための形態】
【００１０】
本明細書および添付図面の記載により、少なくとも以下の事項が明らかとなる。
【００１１】
本発明に係る保持具が適用される典型例として、保持具が電線防護管の移動を規制するために使用される場面を説明する。もっとも、本発明に係る保持具は、電線に装着される防護管以外の物が移動しないように固定するために使用され得る。なお、以下の説明では、Ｚ軸を鉛直方向、Ｙ軸を電線の軸方向、Ｘ軸をＹ軸及びＺ軸に直交する方向を示すものとする。
【００１２】
＝＝＝第１実施形態＝＝＝  
図１、図２を参照して、第１実施形態に係る保持具を説明する。図１は、第１実施形態における保持具を概略的に示す斜視図である。図２は、電線５００を通りＹＺ平面に平行な平面で図１の保持具を切断した端面図である。図２では、見やすさを考慮して、くさび部材１４０だけにハッチングを施している。
【００１３】
＜＜保持具の構成＞＞  
第１実施形態に係る保持具１００は、電線５００の所定位置に着脱可能に取り付けられる固定具であって、図１に示されるように、挟持部１１０、くさび部材１４１，１４２、アーム１３１，１３２を備えている。
【００１４】
挟持部１１０は、電線を挟持する部材であって、第１挟持部材１１１、第２挟持部材１１２、締付け部１２０を有している。第１挟持部材１１１と第２挟持部材１１２とは、電線５００を互いに反対側（たとえばＺ軸の正及び負の側）から挟持する部材である。締付け部１２０は、第１挟持部材１１１に対して第２挟持部材１１２を接近させたり遠ざけたりするための部材であって、先端に形成された操作部と、操作部から伸びたネジ部と、から構成される。ネジ部は、操作部とは反対側の端部において第１挟持部材１１１に回動自在に取り付けられるとともに、第２挟持部材１１２に設けられた孔（図示せず）の内周面に形成された溝と係合する。したがって、操作部をある方向に回転させると、第２挟持部材１１２が第１挟持部材１１１に接近し、操作部を反対方向に回転させると、第２挟持部材１１２は第１挟持部材１１１から遠ざかる。かかる機構によって、保持具１００による電線５００の挟持が可能となる。なお、操作部の底面（Ｚ軸の負側の面）には、間接活線作業を容易にするため、ヤットコの先端部の挿入口が設けられてもよい。
【００１５】
くさび部材１４１，１４２は、一端から他端に向かって厚みを増す板状の部材であり、斜面１４１ａ，１４２ａを有する。くさび部材１４１，１４２は、金属部材でもよいし、電線を傷つけないように樹脂部材でもよいが、電線５００との間に大きな摩擦力を生じさせるような材料で作製されることが好ましい。また、本実施形態において、くさび部材は２個であるが、１個でもよいし、あるいは３個以上でもよい。くさび部材１４１，１４２は、後述するように、第１、第２斜面１１３，１１４と電線５００との間に形成された隙間に挿入される。
【００１６】
ここで、第１挟持部材１１１において電線５００に対向する面は、挟持された電線５００が外れずに安定的に保持されるように、半円筒状を呈している。そして、第１挟持部材１１１において電線５００に対向する面には、くさび部材１４１，１４２の斜面１４１ａ，１４２ａに対向する第１、第２斜面１１３，１１４が形成されている。第１、第２斜面１１３，１１４は、挟持部１１０が電線５００を挟持した状態において、電線５００との間に隙間を形成する。くさび部材１４１，１４２の斜面１４１ａ，１４２ａが第１、第２斜面１１３，１１４とそれぞれ対向するように、上述した隙間にくさび部材１４１，１４２が挿入される。そして、くさび部材１４１，１４２が挟持部１１０と電線５００との間に食い込むことによって、電線５００の軸方向への移動が規制されることになる。具体的には、くさび部材１４１は、電線５００がＹ軸の負の方向へ移動すること（あるいは、保持具１００がＹ軸の正の方向へ移動すること）を規制し、くさび部材１４２は逆に、電線５００がＹ軸の正の方向へ移動すること（あるいは、保持具１００がＹ軸の負の方向へ移動すること）を規制する。
【００１７】
本実施形態において、第１、第２斜面１１３，１１４は、図２に示されるように、電線５００の軸方向に沿って互いに反対側を向くとともに、離間して配置されている。また、第１、第２斜面１１３，１１４は、第１挟持部材１１１におけるＹ軸方向の両端部にそれぞれ設けられる。それゆえ、上述したくさび部材１４１，１４２の挿入が可能となるとともに、挿入されたくさび部材１４１，１４２同士は干渉しない。
【００１８】
もっとも、第１、第２斜面１１３，１１４は、第１挟持部材１１１におけるＹ軸方向の両側面の内側に設けられてもよい。この場合、くさび部材１４１，１４２は、挟持部１１０が電線５００を挟持する前に、第１、第２斜面１１３，１１４によって形成されている窪みに挿入される必要がある。また、第１、第２斜面１１３，１１４は互いに離間して配置される必要はなく、第１、第２斜面１１３，１１４の先端部同士が重なってもよい。この場合、挟持部１１０が電線５００を挟持する前に、第１、第２斜面１１３，１１４のいずれかによって形成された空間に１つのくさび部材を挿入することで、電線５００の軸方向のうち一方向への移動を規制することができる。
【００１９】
アーム１３１，１３２は、防護管６００の電線５００上の位置を保持するための部材である。具体的に、アーム１３１，１３２は、図１、図２に示されるように、挟持部１１０の頂部からＹ軸方向に沿って互いに反対向きに延在し、挟持部１１０が電線５００を挟持した状態において、電線５００に装着された防護管６００の先端を電線５００に向かって押圧する。アームは２本である必要はなく、１本でもよい。さらには、保持具１００は、アームを有していなくてもよい。この場合、防護管６００は、防護管６００の両端部が２台の保持具１００で挟み込まれることで、電線５００上の所定の位置に保持される。
【００２０】
＜＜保持具の使用＞＞  
保持具１００は、次のようにして使用される。  
まず、第１挟持部材１１１の先端と第２挟持部材１１２の先端との間の隙間から電線５００を挟持部１１０の内側に挿入する。併せて、電線５００に防護管６００を装着する。次いで、防護管６００を、防護すべき電線５００の箇所に位置決めしたうえで、保持具１００のアーム（ここでは１３２）の先端部が、防護管６００の先端部の上（Ｚ軸の正側）に配置されるように、保持具１００を位置決めする。そして、締付け部１２０の操作部を所定の方向に回転させて第１挟持部材１１１と第２挟持部材１１２とを接近させ、第１挟持部材１１１と第２挟持部材１１２とで電線５００を挟み込む。その後、くさび部材１４１，１４２を、斜面１４１ａ，１４２ａと第１、第２斜面１１３，１１４とが対向する状態で、第１、第２斜面１１３，１１４と電線５００とで形成された隙間に挿入する。
【００２１】
かかる保持具１００によって、電線５００の軸方向（少なくとも１方向）への移動が規制される。特に、たとえば挟持部１１０が金属部材であって、電線５００との間の摩擦力が比較的小さい場合にも、保持具１００は有効である。また、挟持部１１０による電線５００の締付け力が何らかの理由で減少しても、くさび部材１４１，１４２が電線５００の移動を引き続き規制する。したがって、防護管６００の移動や脱落による危険の発生を抑制することが可能である。
【００２２】
その結果、作業者は、防護管６００の移動や脱落を心配するあまり電線５００を過度に締め付けることがない。よって、作業によって電線５００を傷付けるおそれがないし、労力軽減に繋がる。このことは、作業効率及び作業品質の向上に資する。
【００２３】
＝＝＝第２実施形態＝＝＝  
図３、図４を参照して、第２実施形態に係る保持具を説明する。図３は、第２実施形態における保持具を概略的に示す斜視図である。図４は、電線５００を通りＹＺ平面に平行な平面で図１の保持具を切断した端面図である。図４では、見やすさを考慮して、くさび部材２４０だけにハッチングを施している。
【００２４】
第２実施形態に係る保持具２００は、図３に示されるように、挟持部２１０、くさび部材２４０、アーム２３１，２３２を備えている。挟持部２１０は、後述するくさび部材２４０に関連する部分を除き、第１実施形態における挟持部１１０と共通するので、かかる共通部分に関する説明は省略される。また、アーム２３１，２３２は、第１実施形態におけるアーム１３１，１３２と同様であるので、説明は省略される。
【００２５】
くさび部材２４０について説明すると、くさび部材２４０は、図４に示されるように、電線５００の軸方向（Ｙ軸方向）に沿って互いに向かい合う１対の斜面２４０ａ，２４０ｂと、１対の斜面同士を繋ぐ平板状の接続部２０４ｃを有している。くさび部材２４０は、第１実施形態に係るくさび部材１４０と同様に、金属部材でもよいし、樹脂部材でもよいが、電線５００との間に大きな摩擦力を生じさせるような材料で作製されることが好ましい。
【００２６】
挟持部２１０の第１挟持部材２１１には、このようなくさび部材２４０を受け入れるべく、くさび部材２４０の１対の斜面２４０ａ，２４０ｂに対向する第１及び第２斜面２１３，２１４と、くさび部材２４０の接続部２４０ｃに対向する連結部２１５と、が形成されている。
【００２７】
このような保持具２００の使用方法は、第１実施形態とほぼ同様である。ただし、電線５００が保持具２００によって挟持されると、その後にくさび部材２４０を挿入することはできないので、保持具２００を電線５００に装着するとともに、くさび部材２４０を第１挟持部材２１１と電線５００との間に配置したうえで、締め付け部２２０で電線５００を締め付ける必要がある。
【００２８】
かかる保持具２００によって、電線５００の軸方向（両方向）への移動が確実に規制される。特に、たとえば挟持部２１０が金属部材であって、電線５００との間の摩擦力が比較的小さい場合にも、保持具２００は有効である。また、挟持部２１０による電線５００の締付け力が何らかの理由で減少しても、くさび部材２４０は電線５００の移動を引き続き規制する。したがって、防護管６００の移動や脱落による危険の発生を抑制することが可能である。
【００２９】
＝＝＝第３実施形態＝＝＝  
図５を参照して、第３実施形態に係る保持具３００を説明する。図５は、電線５００を通りＹＺ平面に平行な平面で保持具３００を切断した端面図である。図５では、見やすさを考慮して、くさび部材３４０だけにハッチングを施している。
【００３０】
第３実施形態に係る保持具３００もまた、上述した第１，第２実施形態に係る保持具１００，２００と同様に、挟持部３１０、くさび部材３４０、アーム３３１，３３２を備えている。挟持部３１０は、後述するくさび部材３４０に関連する部分を除き、第１実施形態における挟持部１１０と同様であるので、同様な部分に関する説明は省略される。また、アーム３３１，３３２は、第１実施形態におけるアーム１３１，１３２と同様であるので、やはり説明は省略される。
【００３１】
第３実施形態では、第１、第２斜面３１３，３１４は、電線５００の軸方向に沿って互いに向き合うように配置されている。また、第１斜面３１３と第２斜面３１４とは連続している。かかる第１、第２斜面３１３，３１４に対応して、くさび部材３４０は斜面３４０ａ，３４０ｂを持ち、その端面の形状は、図５に示されるように２等辺三角形状である。このようなくさび部材３４０は、第１、第２斜面３１３，３１４によって形成される空間に挿入される。もっとも、第１実施形態で使用されるくさび部材の両方又は一方が、第１、第２斜面３１３，３１４によって形成される空間に挿入されてもよい。第１実施形態に係るくさび部材の一方が、第１、第２斜面３１３，３１４によって形成される空間に挿入されると、そのくさび部材の向きに応じて、電線５００が軸方向の１方向に移動することが規制されることとなる。なお、くさび部材３４０が第１、第２斜面３１３，３１４によって形成される空間から離れないように、くさび部材３４０は第１，第２斜面１３１，３１４における所定の箇所に紐などで結ばれてもよい。
【００３２】
第３実施形態に係る保持具３００の使用方法もまた第１実施形態と同様であるので、詳細な説明は省略される。ただし、電線５００が保持具３００によって挟持されると、その後にくさび部材３４０を挿入することはできないので、保持具３００を電線５００に装着するとともに、くさび部材３４０を第１挟持部材３１１と電線５００との間に配置したうえで、締め付け部３２０で電線５００を締め付ける必要がある。あるいは、上述したようにくさび部材３４０が第１，第２斜面１３１，３１４に紐などで結ばれている場合には、電線５００が保持具３００によって挟持されると、くさび部材３４０が電線５００と挟持部３１０との間に挟まれることになる。つまり、くさび部材３４０を第１挟持部材３１１と電線５００との間に配置する作業は不要である。
【００３３】
かかる保持具３００によって、電線５００の軸方向（両方向）への移動が確実に規制される。特に、たとえば挟持部３１０が金属部材であって、電線５００との間の摩擦力が比較的小さい場合にも、保持具３００は有効である。また、挟持部３１０による電線５００の締付け力が何らかの理由で減少しても、くさび部材３４０は電線５００の移動を引き続き規制する。したがって、防護管６００の移動や脱落による危険の発生を抑制することが可能である。
【００３４】
以上説明したように、電線５００の所定位置に着脱可能に取り付けられる保持具１００であって、電線１００を挟持する挟持部１１０と、斜面を有するくさび部材１４１と、を備える。挟持部１１０は、電線５００が軸方向のうち第１方向に移動しないように、電線５００に対向する面に、くさび部材１４１の斜面に対向する第１斜面１１３を有する。かかる実施形態によれば、電線５００の軸方向（少なくとも１方向）への移動が規制される。また、挟持部１１０による電線５００の締付け力が何らかの理由で減少しても、くさび部材１４１は電線５００の移動を引き続き規制する。したがって、防護管６００の移動や脱落による危険の発生を抑制することが可能である。その結果、作業者は、防護管６００の移動や脱落を心配するあまり電線５００を過度に締め付けることがない。よって、作業において電線５００を傷付けるおそれがないし、労力軽減に繋がる。このことは、作業効率及び作業品質の向上に資する。
【００３５】
また、挟持部１１０は、電線が第１方向とは反対の第２方向に移動しないように、電線５００に対向する面に、さび部材１４２の斜面に対向する第２斜面１１４を更に有することが好ましい。かかる実施形態によれば、電線５００の軸方向（両方向）への移動が規制される。このことは、作業効率及び作業品質の向上に繋がる。
【００３６】
また、第１斜面１１３と第２斜面１１４とが、電線５００の軸方向に沿って互いに反対側を向くとともに、離間して配置されることで、挿入されたくさび部材１４１，１４２同士が干渉し合うことがないため、電線５００の軸方向（両方向）への移動が確実に規制される。
【００３７】
また、第１斜面１１３と第２斜面１１４とが、挟持部１１０における電線５００の軸方向の両端部にそれぞれ設けられることで、保持具１１０が電線５００を挟持した後に、第１及び第２斜面１１３，１１４と電線５００とによって形成された空間にくさび部材１４１，１４２を挿入することができるから、作業効率が向上する。
【００３８】
また、第１斜面３１３と第２斜面３１４とは、電線５００の軸方向に沿って互いに向き合うように配置されるとともに、連続することが好ましい。かかる実施形態によれば、くさび部材３４０は保持具３００の外部から接触され得ないから、くさび部材３４０の意図しない脱落を防止することができる。このことは、電線５００が移動することを確実に規制することに繋がる。
【００３９】
また、くさび部材２４０は、電線５０の軸方向に沿って互いに向かい合う１対の斜面と、１対の斜面同士を繋ぐ平板状の接続部を有し、第１及び第２斜面２１３，２１４はくさび部材２４０の１対の斜面に対向し、挟持部２１０は、接続部に対向する連結部２１５を更に有する。かかる実施形態によれば、１つのくさび部材２４０によって、電線５００が軸方向における両方向に移動することを規制することができる。
【００４０】
また、保持具１００（２００，３００）は、挟持部１１０（２１０，３１０）から延在し、挟持部１１０（２１０，３１０）が電線５００を挟持した状態において、電線５００に装着された防護管６００の先端を電線５００に向かって押圧するアーム１３１，１３２（２３１，２３２，３３１，３３２）を更に有することが好ましい。かかる実施形態によれば、防護管６００を電線５００に向かって押圧する機能と、電線５００を挟持する機能とを、アーム１３１，１３２（２３１，２３２，３３１，３３２）と挟持部１１０（２１０，３１０）とで分担することができるから、電線５００の移動を防止して、防護管６００を電線５００上の所定位置で確実に固定することが可能となる。
【００４１】
なお、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４２】
１００，２００，３００  保持具
１１０，２１０，３１０  挟持部
１１１，２１１，３１１  第１挟持部材
１１２，２１２，３１２  第２挟持部材
１１３、２１３，３１３  第１斜面
１１４、２１４，３１４  第２斜面
１２０，２２０  締付け部
１３１、１３２，２３１，２３２，３３１，３３２  アーム
１４１、１４２，２４０，３４０  くさび部材
１４１ａ、１４２ａ，２４０ａ，２４０ｂ，３４０ａ，３４０ｂ  斜面
５００  電線
６００  防護管
【図１】
0006477068.tif 000002
【図２】
0006477068.tif 000003
【図３】
0006477068.tif 000004
【図４】
0006477068.tif 000005
【図５】
0006477068.tif 000006